(57)【特許請求の範囲】
【請求項１】
下箱と、この下箱の左右いずれか片側にヒンジによって開閉可能に取り付けられる上蓋とを備えた棺において、
平面方向から見て長方形の開口端を有する下箱本体と、
前記下箱本体の開口端に載置される前記下箱の枠体と、
前記枠体の左右いずれか片側に前記ヒンジにより開閉可能に取り付けられる前記上蓋とを備え、
前記下箱本体または前記枠体のうち一方の開口端に、他方の開口端の内周部にスライド嵌合可能なインロウ部が設けられており、
前記下箱本体から前記枠体が持ち上げられると、前記一方の開口端のインロウ部が前記他方の開口端の内周部から外れることにより、前記枠体が前記上蓋と一緒になって前記下箱本体から分離する一方、
前記枠体が左右反転した状態で前記下箱本体の開口端に載置されると、前記一方の開口端のインロウ部が前記他方の開口端の内周部にスライド嵌合して前記上蓋のヒンジ位置が左右反対になるように構成されたことを特徴とする反転蓋付き棺。
【請求項２】
下箱と、この下箱の左右いずれか片側にヒンジによって開閉可能に取り付けられる上蓋とを備えた棺において、
平面方向から見て長方形の開口端を有する下箱本体と、
前記下箱本体の開口端に載置される前記下箱の枠体と、
前記枠体の左右いずれか片側に前記ヒンジにより開閉可能に取り付けられる前記上蓋とを備え、
前記枠体の開口端に、前記下箱本体の開口端の外周部に嵌合可能な断面Ｌ字形の内溝が設けられており、
前記下箱本体から前記枠体が持ち上げられると、前記枠体の内溝が前記下箱本体の開口端の外周部から外れることにより、前記枠体が前記上蓋と一緒になって前記下箱本体から分離する一方、
前記枠体が左右反転した状態で前記下箱本体の開口端に載置されると、前記枠体の内溝が前記下箱本体の開口端の外周部に嵌って前記上蓋のヒンジ位置が左右反対になるように構成されたことを特徴とする反転蓋付き棺。
【請求項３】
請求項１または２記載の反転蓋付き棺であって、前記上蓋が、その長さ方向の中間位置で前蓋と後蓋とに分割され、かつ、これらの前蓋および後蓋が前記上蓋の長さ方向の中間位置を境界として前後対称な外観になっている、反転蓋付き棺。
【請求項４】
請求項１，２または３記載の反転蓋付き棺であって、前記上蓋と前記下箱との間には、前記上蓋の開放状態を所定角度で保持するための支持棒が設けられ、前記支持棒の一端が前記上蓋に、前記支持棒の他端が前記枠体に取り付けられる、反転蓋付き棺。
【請求項５】
請求項１記載の反転蓋付き棺であって、前記下箱本体の開口端に前記枠体が載置された状態で、前記下箱本体の側面と前記枠体の側面が上下方向に連なる、反転蓋付き棺。
【請求項６】
請求項２記載の反転蓋付き棺であって、前記下箱本体の開口端に前記枠体が載置された状態で、前記枠体には、前記下箱の上部側面の外周に連なって側方に突出する装飾枠部が形成される、反転蓋付き棺。
【発明の詳細な説明】
【技術分野】
【０００１】
本発明は、反転蓋付き棺に関するもので、特に、下箱の左右片側でヒンジにより上蓋が開閉する洋タイプの棺に適用されるものである。
【背景技術】
【０００２】
従来より、棺には、大別して和棺と洋棺の２種類のタイプが知られている。和棺は、下箱の上に小窓付きの上蓋が載置されるもので、納棺後の遺体との対面は、上蓋全体を取り外すか小窓を開閉することで行う。
一方、洋棺は、下箱の左右片側に上蓋がヒンジによって開閉可能に取り付けられるもので、上蓋が左右いずれかの一方から開くようになっている。上蓋が、遺体の頭部に当たる部分と、胴体部に当たる部分とに分割されて、それぞれ独立に開閉するものもある（特許文献１参照）。
その他の棺としては、上蓋が左右両側のヒンジにより観音扉式に開閉するタイプの棺も知られる（特許文献２）。
【０００３】
【特許文献１】実用新案登録第３０６９６０７号公報
【特許文献２】特開２００１−１４５６７３号公報
【発明の開示】
【発明が解決しようとする課題】
【０００４】
ところで、葬儀の際に棺を使用する場合、通常は、遺族等が遺体の納棺を行った後に、告別式等を執り行う葬儀場へ棺を運ぶ。葬儀場では、遺影や位牌とともに棺が所定の場所に配置されることになる。
【０００５】
ところが上記のような洋棺では、葬儀場の室内に棺を配置するときに、遺体の向きと棺の向きを適正な向きに合致させて置けないことがある。つまり、洋棺では、上蓋がヒンジにより下箱の左右片側に取り付けられているため、参列者に向けて上蓋が開くように棺を配置すると、遺体の頭の向きが一方に限定されてしまう。通常、葬儀場の室内では、遺体の頭の向きを北や西といった慣習的に決められた方向に向けるため、上蓋の開く向きを参列者側に向けると、遺体の頭の向きが決められた方向に向かず、逆に、遺体の頭の向きを決められた方向に向けると、上蓋が参列者と反対側に向いて、遺体との対面等の妨げになるといった問題がある。
【０００６】
予め葬儀場の室内配置を想定して遺体の納棺を行えばこのような問題が生じることはないが、通夜などの忙しい中ではこのような配慮が行き届かないことが多く、遺体の向きまで想定していないのが現状である。
【０００７】
また、葬儀場で棺のヒンジを取り外して上蓋を左右反対に付け直す方法もあるが、付け直しの作業が煩雑であるし、ヒンジの取付け跡が残って見栄えが悪くなることもある。
【０００８】
本発明は、このような現状に鑑みなされたもので、納棺の後でもヒンジを取り外すことなく、簡単な操作で上蓋の開き方を左右反転することを可能にした反転蓋付き棺を提供することを目的としている。
【課題を解決するための手段】
【０００９】
［第１発明］
前記課題を解決するための第１発明の反転蓋付き棺は、
下箱と、この下箱の左右いずれか片側にヒンジによって開閉可能に取り付けられる上蓋とを備えた棺において、
前記下箱は、下箱本体の開口端に枠体を載置してなるものであり、
前記枠体の左右いずれか片側に、前記上蓋を開閉可能な前記ヒンジが取り付けられるとともに、前記枠体の開口形状が、前記下箱本体の開口端に前記枠体を左右反転させて載置可能に形成される構成とした。
【００１０】
このような構成によれば、下箱本体から枠体を持ち上げると、枠体が上蓋と一緒になって下箱本体から分離する。枠体を左右反転させて下箱本体の開口端に載置すると、同時に上蓋のヒンジ位置が左右反対になる。すなわち、枠体と上蓋とを一緒に持ち上げて左右反転させて置き直すだけで、上蓋の開き方を左右反転させることができる。
【００１１】
この結果、納棺の後で棺と遺体の向きが適正でないときでも、簡単な作業で両者の向きを適正な向きに直すことができる。具体的には、予め遺体の頭の向きを葬儀場の室内の北や西といった決められた方向に向けて、その後で参列者に向けて上蓋が開くように枠体をセットすれば、上蓋と遺体とを常に好ましい向きにセットすることが可能になる。
【００１２】
［第２発明］
第２発明の反転蓋付き棺は、第１発明の構成を備えるものであって、
前記上蓋が、その長さ方向の中間位置で前蓋と後蓋とに分割され、かつ、これらの前蓋および後蓋が前記上蓋の長さ方向の中間位置を境界として前後対称な外観になっている構成とした。
【００１３】
前述したように、洋棺の上蓋は、頭部と胴体部とに対応する箇所に分割されて開閉することが多い。通常は、頭部と胴体部に合わせて前蓋と後蓋とをそれぞれ異なる外観（前後長さや配色等）に設定する。
第１発明の構成では、枠体と上蓋とを一緒に反転させる場合には、上蓋の前後が入れ替わるため、前蓋と後蓋の位置関係が反対になる。このため、遺体の向きに合わせて上蓋の向きを適正に直しても、前蓋と後蓋の外観が頭部と胴体部に合わなくなって使用上の不都合が生じることも起こりうる。
【００１４】
第２発明の構成によれば、前蓋と後蓋との外観がその長さ方向の中間位置を境界として前後対称に設定されるため、上蓋を反転させても、前蓋と後蓋の外観が変わらない。このため、頭部と胴体部の区別なく前蓋と後蓋とを使用することができる。
【００１５】
［第３発明］
第３発明の反転蓋付き棺は、第１または２発明の構成を備えるものであって、前記下箱本体または前記枠体のうち一方の開口端に、他方の開口端の内周部にスライド嵌合可能なインロウ部が設けられる構成とした。
【００１６】
このような構成によれば、下箱本体または枠体の開口端のうち一方のインロウ部が他方の内周部にスライド嵌合することで、下箱本体に枠体を簡単に位置決めすることができる。
また、インロウ部によって枠体の横ズレを防止してその載置状態を安定させることができる。
【００１７】
［第４発明］
第４発明の反転蓋付き棺は、第１〜３発明のいずれか一の構成を備えるものであって、前記上蓋と前記下箱との間には、前記上蓋の開放状態を所定角度で保持するための支持棒が設けられ、前記支持棒の一端が前記上蓋に、前記支持棒の他端が前記枠体に取り付けられる構成とした。
【００１８】
このような構成によれば、枠体を左右反転させると、上蓋と同時に支持棒を一体的に反転させることができる。このため、上蓋の向きを反転させる度に支持棒を取り付け直すといった作業の手間がいらず、快適に棺を使用することができる。
【００１９】
［第５発明］
第５発明の反転蓋付き棺は、第１〜４発明のいずれか一の構成を備えるものであって、
前記下箱本体の開口端に前記枠体を載置した状態で、前記下箱本体の側面と前記枠体の側面が上下方向に連なる構成とした。
【００２０】
下箱本体に枠体を載置する場合、両者の側面の境界部分に段差が生じると、下箱の一体感が損なわれて棺の外観に違和感が生じやすい。
第５発明の構成によれば、下箱本体の開口端に枠体を載置したときに、両者の側面が上下方向に連なるため、載置部分に段差が生じない。このため、下箱の一体感が損なわれず、棺の外観を従来のデザインと遜色のないシンプルなものにすることができる。
【００２１】
［第６発明］
第６発明の反転蓋付き棺は、第１〜４発明のいずれか一の構成を備えるものであって、
前記下箱本体の開口端に前記枠体を載置した状態で、前記枠体には、前記下箱の上端付近の外周に連なって側方に突出する装飾枠部が形成される構成とした。
【００２２】
一般に、洋棺の形状としては、下箱の上端付近若しくは上下端付近にその外周に連なって側方に突出する装飾枠部を設けることが知られている。このような装飾枠部は、棺の外観に洋風の趣向を与えてデザイン性を高め、下箱の上に載せた上蓋の安定感を高める役割を果たしている。
【００２３】
第６発明の構成によれば、下箱本体に枠体を載置した状態で、下箱の上端付近の外周に装飾枠部が現れる。このとき、枠体の存在が装飾枠部によってカムフラージュされるような形になり、下箱本体と枠体との境界部分が目立たなくなる。この結果、装飾枠部を有する洋棺に下箱本体と枠体との構成を自然な外観でとけ込ませることができる。
【００２４】
［第１〜６発明］
第１〜６発明の反転蓋付き棺は、下箱の左右片側に上蓋をヒンジにより取り付けるものであればよく、その形状や材質は問わない。木製棺の他、段ボール棺であって適用することができる。
ヒンジの種類は、金属、樹脂等からなる蝶番の他、布やシートの折曲部分をヒンジとして利用するものであってもよい。棺の用途（人用、ペット用等）や種類（寝棺、座棺等）は、特に限定されることはない。
第１〜６発明は、必要に応じて単独で適用してもよいし、これらの発明を組み合わせて適用してもよい。また、本明細書に記載される他の発明を組み合わせてもよい。
【発明を実施するための最良の形態】
【００２５】
以下、本発明の実施の形態を図面に基づいて説明する。本実施形態は、洋棺の下箱および上蓋に本発明を適用したものである。なお、本実施形態の説明上、棺の前後方向は長手方向を意味し、棺の左右方向は短手方向を意味する。
【００２６】
［第１実施形態］
図１および図２に示すように、反転蓋付き棺１０は、下箱１２と上蓋１３とを備えている。下箱１２の左右片側の開口端にヒンジ１６により上蓋１３が開閉可能に取り付けられている。棺１０の表面には装飾用の布貼り仕上げが施され、例えば下箱１２と上蓋１３の外側に色柄付きの布地、下箱１２と上蓋１３の内側に内装用の布地が貼り付けられる。これらの布地によって棺１０の下地（木材等）が覆われる。
棺１０の寸法は、例えば長さが１７０〜２００ｃｍ程度、幅が５０〜７０ｃｍ程度、下箱１２と上蓋１３を含めた高さが４０〜５０ｃｍ程度である。
【００２７】
図３および図４に示すように、下箱１２は、下箱本体１２Ａと枠体１２Ｂとからなる。下箱本体１２Ａの開口端に枠体１２Ｂが載置されており、枠体１２Ｂを持ち上げると、上蓋１３と共に枠体１２Ｂが下箱本体１２Ａから分離する（図４参照）。
下箱本体１２Ａの開口端に枠体１２Ｂを載置した状態で、両者の内外の側面が上下方向に連なる。つまり、下箱本体１２Ａの開口端に枠体１２Ｂを積み上げることで、下箱１２として一体的な外観になる。
【００２８】
枠体１２Ｂの開口端には、所定の間隔を保って４個のヒンジ１６が固定される（図１参照）。これらのヒンジ１６に上蓋１３が連結されている。枠体１２Ｂの上下巾は、数センチ程度で均一に保たれており、その平坦な上端に上蓋１３が載る。
【００２９】
下箱本体１２Ａと枠体１２Ｂの開口形状は、平面方向から見て長方形になっており、左右対称な関係にある。このため、下箱本体１２Ａに枠体１２Ｂを載置すると、枠体１２Ｂの左右いずれの面を手前にしても、両者の開口寸法がぴったり一致する。つまり、枠体１２Ｂは、下箱本体１２Ａに対し１８０゜反転自在で、その向きを選択的に使用できるようになっている。
【００３０】
上蓋１３は、棺１０の前後長さ方向のほぼ中間位置で前蓋１３Ａと後蓋１３Ｂとに分割される（図１および図２参照）。前蓋１３Ａは、図１の前側の２個のヒンジ１６によって枠体１２Ｂに連結され、後蓋１３Ｂは、後側の２個のヒンジ１６によって枠体１２Ｂに連結される。葬儀の際には、必要に応じて前蓋１３Ａと後蓋１３Ｂの一方、または両方が開放されることになる。
【００３１】
下箱１２と上蓋１３との間には、これらの前後端に上蓋１３の開放状態を保持するための支持棒１５が設けられる。これらの支持棒１５は、その一端が上蓋１３の内側に支軸１５ａにより回動可能に留められ、他端が枠体１２Ｂの支持ピン１５ｂに係止される。上蓋１３を開放するとき、枠体１２Ｂの支持ピン支持ピン１５ｂに支持棒１５の係止溝を嵌めることで、上蓋１３が一定の開放角で保持される。
なお、支持棒１５の係止溝については、その係止位置を段階的に切り換え可能にしてもよい。このようにすれば、上蓋１３の開放角を自在に選択することが可能になる。
【００３２】
図５に示すように、下箱本体１２Ａと枠体１２Ｂとの載置部分は、互いに噛み合う構造になっている。すなわち下箱本体１２Ａの開口端の全周に亘ってインロウ部１２ａが形成され、このインロウ部１２ａに嵌合するように枠体１２Ｂの下端部に内溝１２ｂが形成される。枠体１２Ｂを持ち上げると、これらの嵌合が外れて下箱本体１２Ａから上蓋１３と共に枠体１２Ｂが分離する。一方、下箱本体１２Ａの開口端に枠体１２Ｂを置くと、インロウ部１２ａに枠体１２Ｂの内溝１２ｂが嵌って元の棺１０の形態に戻る。
【００３３】
次に、反転蓋付き棺１０の使用方法を図６〜図８に従って説明する。
一般に、葬儀を行う場合、図６に示すように、室内の前側には、遺影などを飾る祭壇Ｐ、その両脇に生花壇ＦL，ＦRが配置され、中央手前に棺１０、さらに手前に焼香台Ｔが配置される。室内の後側には参列者用の座席Ｓが並べられる。図６の例では、図面左側が北に位置するため、葬儀の間、棺１０は、遺体の頭を北に向けて、上蓋１３が参列者に向いて開くように配置することが求められる。
【００３４】
納棺時には、遺体の向きを気にすることなく棺１０に遺体を納めることが多く、上記のような葬儀場に棺１０を運んだ後で、遺体の向きと上蓋１３の開き方を上記のように設定できないことがある。このような場合、葬儀場で遺体を入れ直すことは困難であるため、従来であれば、工具を用いてヒンジ１６を一旦取り外し、上蓋１３の向きを反転させてヒンジ１６を付け直すようなことが行われていた。
【００３５】
本実施形態の棺１０によれば、枠体１２Ｂを上蓋１３ごと持ち上げて１８０゜反転させて再度、下箱本体１２Ａに載せることで、ヒンジ１６の位置が棺１０の左右反対の位置になる（図７および図８参照）。具体的には、図７に示すように、遺体の頭を北に向けたときにヒンジ１６が参列者側に来る場合には、枠体１２Ｂと上蓋１３を持ち上げて左右反転させれば、図８に示すように、ヒンジ１６が祭壇Ｐ側に向き、上蓋１３が参列者側に向いて開くように修正される。
【００３６】
このとき、上蓋１３は、棺１０の前後方向の中間位置で前蓋１３Ａと後蓋１３Ｂとに分離されるから、これらのいずれが前に来ても同一の外観（前後長さ、配色等）で開放可能になり、棺１０の見た目にも違和感が生じることはない。また、上蓋１３の支持棒１５も枠体１２Ｂと一緒に反転することから、その使用が妨げられることはない。
【００３７】
この結果、ヒンジ１６を取り外すことなく、極めて簡単作業で上蓋１３の開く向きを左右反転することができ、納棺時に遺体の向きを気にしなくとも、葬儀の際に棺１０を常に適正な位置に配置することが可能になる。
【００３８】
また、棺１０では、枠体１２Ｂと下箱本体１２Ａの側面が上下方向に連なるため、下箱１２の一体感が損なわれることなく、デザイン的にも従来の洋棺と遜色のない形状になる。また、下箱１２の内側にも枠体１２Ｂと下箱本体１２Ａとの段差が生じないため、納棺時に枠体１２Ｂが邪魔になることもない。
【００３９】
さらに、反転蓋付き棺１０では、枠体１２Ｂが下箱本体１２Ａのインロウ部１２ａで位置決めされるから、下箱本体１２Ａの開口端に枠体１２Ｂを横ズレなく安定させることができるといった効果も得られる。
【００４０】
［第２実施形態］
次に、本発明の第２実施形態を図９〜図１１に示した。第２実施形態は、下箱の外周に装飾枠部を有する洋棺に本発明を適用したものである。
【００４１】
図９に示すように、棺２０は、下箱２２と上蓋２３とからなる。下箱２２の開口端にヒンジ２６（図１０参照）により上蓋２３が開閉可能に取り付けられる。第１実施形態と同様に、上蓋２３は、棺２０の前後方向の中間位置で前蓋２３Ａと後蓋２３Ｂとに分割されている。
【００４２】
下箱２２の上端および下端付近には、その外周に沿って装飾枠部２２Ｄが側方に突き出している。装飾枠部２２Ｄは、ほぼ均一な上下巾と厚みで水平方向に連なり、棺２０の外観の立体感を高めている。棺２０を平面から見ると、上蓋２３と装飾枠部２２Ｄの外形線がほぼ一致する。
【００４３】
図１０に示すように、下箱２２は、下箱本体２２Ａの開口端に枠体２２Ｂが載置される。枠体２２Ｂを持ち上げると、枠体２２Ｂが上蓋２３と共に下箱本体２２Ａから分離するようになっている（図１１参照）。
枠体２２Ｂの開口形状は、第１実施形態と同様に左右対称になっており、下箱本体２２Ａに対し枠体２２Ｂを１８０゜反転可能になっている。
【００４４】
枠体２２Ｂは、縦部２２ａと横部２２ｂとがほぼ垂直に延びるＬ字形の断面を有している。縦部２２ａの厚みは、装飾枠部２２Ｄの厚みに等しく、横部２２ｂの長さは、下箱本体２２Ａの開口端の巾に等しい。縦部２２ａと横部２２ｂの内側は、下箱本体２２Ａの上端外周部に嵌合する内溝２２ｃとなっている。
【００４５】
第２実施形態の棺２０によっても、下箱本体２２Ａに枠体２２Ｂを左右反転させることで、上蓋２３の開く向きを自在に選択することができる。このため、納棺時に遺体の向きを気にしなくとも、棺２０を常に適正な位置に配置することができる。
【００４６】
また、棺２０では、枠体２２Ｂが装飾枠部２２Ｄを兼ねる構成であるから、枠体２２Ｂの存在が装飾枠部２２Ｄの外観に紛れて目立ちにくくなり、下箱本体２２Ａと枠体２２Ｂとの一体感を高めることができる。
【００４７】
さらには、下箱本体１２Ａの開口端の外周部に枠体２２Ｂの内溝２２ｃを嵌めることで、下箱本体１２Ａに枠体２２Ｂを位置決めし、下箱本体１２Ａの開口端に枠体１２Ｂを横ズレなく安定させることもできる。
【００４８】
［第３実施形態］
本発明の第３実施形態を図１２に示した。第３実施形態は、平面形状が八角形の棺に本発明を適用したものである。
図１２に示すように、棺３０は、下箱３２と上蓋３３が平面方向から見て八角形になるように四隅部が面取りされる。上蓋３３の上端四隅は三角形に面取りされて宝飾品のような多面体の外観になっている。
下箱３２の開口端には、ヒンジ３６により上蓋３３が開閉可能に取り付けられる。上蓋３３は、棺３０の前後方向の中間位置で前蓋３３Ａと後蓋３３Ｂとに分割される。
【００４９】
下箱３２は、下箱本体３２Ａの上に枠体３２Ｂが分離可能に載置されており、枠体３２Ｂを持ち上げると、下箱本体３２Ａから枠体３２Ｂおよび上蓋３３が分離する。
下箱本体３２Ａと枠体３２Ｂの開口形状はともに平面八角形で、下箱本体３２Ａの上に枠体３２Ｂを載置した状態で、両者の側面が上下方向に連なる。これにより、第１実施形態と同様に、下箱本体２２Ａに対し枠体２２Ｂを１８０゜反転させることが可能になっている。
【００５０】
なお、下箱本体３２Ａと枠体３２Ｂの載置部には、第１実施形態と同様なインロウ部と内溝が設けられており、枠体３２Ｂの横ズレが防止されている。
【００５１】
第３実施形態の棺３０によっても、下箱本体３２Ａに枠体３２Ｂを左右に反転させることで、上蓋３３の開き方を自在に選択することができる。これにより、前述した実施形態と同様に、簡単な作業で迅速に上蓋３３を適正な向きに変更することが可能になる。
【００５２】
また、下箱本体３２Ａと枠体３２Ｂとの側面が上下方向に段差なく連なるため、下箱３２が通常の洋棺と比較して遜色のない一体感のある外観形状になり、棺３０の見栄えが良好になる。
さらには、第３実施形態では、その外観形状に宝飾品のような面取りが施されるため、棺３０の高級感を高めることができる。
【００５３】
［変形例］
第１〜３実施形態を説明したが、本発明の実施形態はこれらに限定されることなく、種々の変形・変更を伴ってもよい。
例えば下箱および上蓋の両方、またはいずれかに強化段ボール材を採用してもよい。強化段ボール材としては、三層強化段ボール（トライウォール社製）を使用することができる。この種の段ボール材は、２枚の厚板（ライナー）の間に、３層の波板が仕切り板を介して積層されてなるもので、優れた耐圧性・耐水性をもつ。
また、第１〜３実施形態では、蝶番タイプのヒンジを示したが、上蓋を開閉するものであればこれに限られず、下箱（枠体）と上蓋との連結部を布等で覆って折り曲げ自在としたものをヒンジとすることもできる。特に、下箱（枠体）と上蓋との連結部分を外装用の布地で覆うと、ヒンジの存在が目立たない反転蓋付き棺を実現することができる。
【図面の簡単な説明】
【００５４】
【図１】本発明の第１実施形態の反転蓋付き棺を示すもので、上蓋が開放された状態を示す斜視図である。
【図２】同棺を示すもので、上蓋が閉鎖された状態を示す斜視図である。
【図３】同棺を示す断面図である。
【図４】同棺を示すもので、下箱本体と枠体の分離状態を示す断面図である。
【図５】図４のヒンジ付近を示す部分拡大図である。
【図６】同棺の使用状態を示すもので、葬儀場の室内配置を示す平面図である。
【図７】同棺の使用方法を説明するもので、上蓋が祭壇側に向いて開放した状態を示す断面図である。
【図８】同棺の使用方法を説明するもので、上蓋が参列者側に向いて開放した状態を示す断面図である。
【図９】本発明の第２実施形態の反転蓋付き棺を示すもので、上蓋が閉鎖された状態を示す斜視図である。
【図１０】同棺を示す断面図である。
【図１１】同棺を示すもので、下箱本体と枠体の分離状態を示す断面図である。
【図１２】本発明の第３実施形態の棺を示す分解斜視図である。
【符号の説明】
【００５５】
１０，２０，３０    棺
１２，２２，３２    下箱
１２Ａ，２２Ａ，３２Ａ    下箱本体
１２Ｂ，２２Ｂ，３２Ｂ    枠体
１２ａ    インロウ部
１２ｂ    内溝
１３，２３，３３    上蓋
１３Ａ，２３Ａ，３３Ａ    前蓋
１３Ｂ，２３Ｂ，３３Ｂ    後蓋
１５      支持棒
１５ａ    支軸
１５ｂ    支持ピン
１６，２６，３６    ヒンジ
２２Ｄ  装飾枠部
２２ａ    縦部
２２ｂ    横部
２２ｃ    内溝
【図１】
0005032944.tif 000002
【図２】
0005032944.tif 000003
【図３】
0005032944.tif 000004
【図４】
0005032944.tif 000005
【図５】
0005032944.tif 000006
【図６】
0005032944.tif 000007
【図７】
0005032944.tif 000008
【図８】
0005032944.tif 000009
【図９】
0005032944.tif 000010
【図１０】
0005032944.tif 000011
【図１１】
0005032944.tif 000012
【図１２】
0005032944.tif 000013